(57)【要約】  基地局は、第１のユーザ端末及び第２のユーザ端末に対して同一の無線リソース及び同一のプリコーダ行列を適用して空間多重伝送を行う移動通信システムにおいて、前記第１のユーザ端末と接続する。前記基地局は、前記第２のユーザ端末と接続する他の基地局に対して、前記第１のユーザ端末からフィードバックされる第１のプリコーダ行列情報毎の第１の統計量と、前記第１のユーザ端末における下りリンクの無線リソース毎の第２の統計量と、を通知する。
2014073487.tif 000002
【特許請求の範囲】
【請求項１】
第１の基地局と、前記第１の基地局と接続する第１のユーザ端末と、前記第１の基地局に隣接する第２の基地局と、前記第２の基地局と接続する第２のユーザ端末と、を有する移動通信システムにおいて、前記第１のユーザ端末及び前記第２のユーザ端末に対して同一の無線リソース及び同一のプリコーダ行列を適用して空間多重伝送を行うための通信制御方法であって、
前記第１の基地局が、前記第１のユーザ端末からフィードバックされる第１のプリコーダ行列情報毎の第１の統計量と、前記第１のユーザ端末における下りリンクの無線リソース毎の第２の統計量と、を算出するステップＡと、
前記第１の基地局が、前記第１の統計量及び前記第２の統計量を前記第２の基地局に通知するステップＢと、
前記第２の基地局が、前記第２のユーザ端末からフィードバックされる第２のプリコーダ行列情報毎の第３の統計量と、前記第２のユーザ端末における下りリンクの無線リソース毎の第４の統計量と、を算出するステップＣと、
前記第２の基地局が、前記第１の統計量と前記第３の統計量とを比較し、且つ、前記第２の統計量と前記第４の統計量とを比較することにより、前記空間多重伝送の可否を判定するステップＤと、
を含むことを特徴とする通信制御方法。
【請求項２】
前記第１の統計量は、前記第１のプリコーダ行列情報毎の発生確率を示し、
前記第３の統計量は、前記第２のプリコーダ行列情報毎の発生確率を示し、
前記ステップＤにおいて、前記第２の基地局は、前記第１の統計量のうち発生確率が最も高い前記第１のプリコーダ行列情報と、前記第３の統計量のうち発生確率が最も高い前記第２のプリコーダ行列情報と、が一致しない場合には、前記空間多重伝送が不能であると判定することを特徴とする請求項１に記載の通信制御方法。
【請求項３】
前記第２の統計量は、前記第１のユーザ端末における前記下りリンクの無線リソース毎の通信品質を示し、
前記第４の統計量は、前記第２のユーザ端末における前記下りリンクの無線リソース毎の通信品質を示し、
前記ステップＤにおいて、前記第２の基地局は、前記第２の統計量のうち通信品質が良好な無線リソースと、前記第４の統計量のうち通信品質が良好な無線リソースと、が一致しない場合には、前記空間多重伝送が不能であると判定することを特徴とする請求項１に記載の通信制御方法。
【請求項４】
前記ステップＤで前記空間多重伝送が可能であると判定された場合において、
前記第２の基地局が、前記空間多重伝送のための無線リソースを確保して、当該確保した無線リソースを前記第１の基地局に通知するステップＥと、
前記第２の基地局が、前記確保した無線リソースを前記第２のユーザ端末に割り当てるとともに、前記第１の基地局が、前記第２の基地局から通知された前記無線リソースを前記第１のユーザ端末に割り当てるステップＦと、
をさらに含むことを特徴とする請求項１に記載の通信制御方法。
【請求項５】
前記第１の統計量のうち最も高い発生確率が閾値未満である場合、又は前記第３の統計量のうち最も高い発生確率が閾値未満である場合に、前記空間多重伝送が不能であると判定するステップＧをさらに含むことを特徴とする請求項２に記載の通信制御方法。
【請求項６】
前記ステップＣにおいて、前記第２の基地局は、前記第２の基地局と接続する複数の第２のユーザ端末毎に前記第３の統計量及び前記第４の統計量を算出し、
前記ステップＤにおいて、前記第２の基地局は、前記複数の第２のユーザ端末毎に前記第１のユーザ端末との前記空間多重伝送の可否を判定することを特徴とする請求項１に記載の通信制御方法。
【請求項７】
第１のユーザ端末及び第２のユーザ端末に対して同一の無線リソース及び同一のプリコーダ行列を適用して空間多重伝送を行う移動通信システムにおいて、前記第１のユーザ端末と接続する基地局であって、
前記第２のユーザ端末と接続する他の基地局に対して、前記第１のユーザ端末からフィードバックされる第１のプリコーダ行列情報毎の第１の統計量と、前記第１のユーザ端末における下りリンクの無線リソース毎の第２の統計量と、を通知する制御部を有することを特徴とする基地局。
【請求項８】
第１のユーザ端末及び第２のユーザ端末に対して同一の無線リソース及び同一のプリコーダ行列を適用して空間多重伝送を行う移動通信システムにおいて、前記第１のユーザ端末と接続する基地局に備えられるプロセッサであって、
前記プロセッサは、前記第２のユーザ端末と接続する他の基地局に対して、前記第１のユーザ端末からフィードバックされる第１のプリコーダ行列情報毎の第１の統計量と、前記第１のユーザ端末における下りリンクの無線リソース毎の第２の統計量と、を通知することを特徴とするプロセッサ。
【発明の詳細な説明】
【技術分野】
【０００１】
本発明は、下りリンク・マルチアンテナ伝送をサポートする通信制御方法、基地局、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥシステムは、下りリンク・マルチアンテナ伝送をサポートする（例えば、非特許文献１参照）。例えば、基地局は、一のユーザ端末に対してビームを向け、且つ他のユーザ端末に対してヌルを向けて送信を行うことができる。【０００３】
下りリンク・マルチアンテナ伝送をＦＤＤ方式で実現するために、ユーザ端末は、プリコーダ行列を示すプリコーダ行列情報を基地局に対してフィードバック（通知）する。ここで、プリコーダ行列は、下りリンクの送信指向性を定めるものである。【０００４】
また、３ＧＰＰでは、ＣｏＭＰ（Ｃｏｏｒｄｉｎａｔｅｄ  Ｍｕｌｔｉ−Ｐｏｉｎｔ）の標準化が進められている。ＣｏＭＰは、同一の場所に配置されたアンテナ群（基地局）を１つの「ポイント」と位置付け、複数のポイントが協調してユーザ端末との通信を行うものである。同一の無線リソース（時間・周波数リソース）を用いてユーザ端末との協調通信を行うポイント群は、ＣｏＭＰ協働セット（ＣｏＭＰ  ｃｏｏｐｅｒａｔｉｎｇ  ｓｅｔ）と称される。
【先行技術文献】
【非特許文献】
【０００５】
【非特許文献１】３ＧＰＰ技術仕様  「ＴＳ  ３６．３００  Ｖ１１．０．０」  （２０１１-１２）
【発明の概要】
【０００６】
ところで、３ＧＰＰでは、ＣｏＭＰの一種として、複数の基地局が協調して、ビームフォーミング／ヌルステアリングによる空間多重伝送を行うＣＢ（Ｃｏｏｒｄｉｎａｔｅｄ  Ｂｅａｍｆｏｒｍｉｎｇ）−ＣｏＭＰが検討されている。
【０００７】
しかしながら、現行の仕様においては、ＣＢ−ＣｏＭＰを適切に実施するための仕組みが存在しないという問題がある。
【０００８】
そこで、本発明は、ＣＢ−ＣｏＭＰを適切に実施可能とする通信制御方法、基地局、及びプロセッサを提供する。
【０００９】
一実施形態に係る通信制御方法は、第１の基地局と、前記第１の基地局と接続する第１のユーザ端末と、前記第１の基地局に隣接する第２の基地局と、前記第２の基地局と接続する第２のユーザ端末と、を有する移動通信システムにおいて、前記第１のユーザ端末及び前記第２のユーザ端末に対して同一の無線リソース及び同一のプリコーダ行列を適用して空間多重伝送を行うための方法である。
【００１０】
前記通信制御方法は、前記第１の基地局が、前記第１のユーザ端末からフィードバックされる第１のプリコーダ行列情報毎の第１の統計量と、前記第１のユーザ端末における下りリンクの無線リソース毎の第２の統計量と、を算出するステップＡと、前記第１の基地局が、前記第１の統計量及び前記第２の統計量を前記第２の基地局に通知するステップＢと、前記第２の基地局が、前記第２のユーザ端末からフィードバックされる第２のプリコーダ行列情報毎の第３の統計量と、前記第２のユーザ端末における下りリンクの無線リソース毎の第４の統計量と、を算出するステップＣと、前記第２の基地局が、前記第１の統計量と前記第３の統計量とを比較し、且つ、前記第２の統計量と前記第４の統計量とを比較することにより、前記空間多重伝送の可否を判定するステップＤと、を含む。
【図面の簡単な説明】
【００１１】
【図１】ＬＴＥシステムの構成図である。
【図２】ＵＥのブロック図である。
【図３】ｅＮＢのブロック図である。
【図４】下りリンク・マルチアンテナ伝送に関連するブロック図である。
【図５】ＬＴＥシステムにおける無線インターフェイスのプロトコルスタック図である。
【図６】ＬＴＥシステムで使用される無線フレームの構成図である。
【図７】実施形態に係る動作環境を示す図である。
【図８】実施形態に係る動作環境を示す図である。
【図９】実施形態に係る動作シーケンス図である。
【図１０】図９に記載の処理Ｐ１の詳細を示すフロー図である。
【図１１】実施形態に係る統計量を説明するための図である。
【図１２】図９に記載の処理Ｐ２の詳細を示すフロー図である。
【図１３】ＣｏＭＰ  ＵＥ情報メッセージの構成例１を示す図である。
【図１４】ＣｏＭＰ  ＵＥ情報メッセージの構成例２を示す図である。
【図１５】図９に記載の処理Ｐ３の詳細を示すフロー図である。
【図１６】割当予約メッセージの構成例１を示す図である。
【図１７】割当予約メッセージの構成例２を示す図である。
【図１８】図９に記載の処理Ｐ４の詳細を示すフロー図である。
【発明を実施するための形態】
【００１２】
［実施形態の概要］
実施形態に係る通信制御方法は、第１の基地局と、前記第１の基地局と接続する第１のユーザ端末と、前記第１の基地局に隣接する第２の基地局と、前記第２の基地局と接続する第２のユーザ端末と、を有する移動通信システムにおいて、前記第１のユーザ端末及び前記第２のユーザ端末に対して同一の無線リソース及び同一のプリコーダ行列を適用して空間多重伝送を行うための方法である。
【００１３】
前記通信制御方法は、前記第１の基地局が、前記第１のユーザ端末からフィードバックされる第１のプリコーダ行列情報毎の第１の統計量と、前記第１のユーザ端末における下りリンクの無線リソース毎の第２の統計量と、を算出するステップＡと、前記第１の基地局が、前記第１の統計量及び前記第２の統計量を前記第２の基地局に通知するステップＢと、前記第２の基地局が、前記第２のユーザ端末からフィードバックされる第２のプリコーダ行列情報毎の第３の統計量と、前記第２のユーザ端末における下りリンクの無線リソース毎の第４の統計量と、を算出するステップＣと、前記第２の基地局が、前記第１の統計量と前記第３の統計量とを比較し、且つ、前記第２の統計量と前記第４の統計量とを比較することにより、前記空間多重伝送の可否を判定するステップＤと、を含む。なお、「空間多重伝送の可否を判定する」とは、空間多重伝送を継続するか否かの判定だけでなく、空間多重伝送を開始するか否かの判定も含む。
【００１４】
上述した通信制御方法によれば、プリコーダ行列情報のフィードバック状況及び下りリンク無線リソースの状況の観点から、第１のユーザ端末及び第２のユーザ端末が整合性の高いペア（相性の良いペア）であることを確認した上で、空間多重伝送（ＣＢ−ＣｏＭＰ）を実施することができる。よって、より確実に空間多重伝送による性能改善の効果を得ることができる。
【００１５】
これに対し、プリコーダ行列情報のフィードバック状況及び下りリンク無線リソースの状況の観点から、第１のユーザ端末及び第２のユーザ端末が整合性の低いペア（相性の悪いペア）である場合には、空間多重伝送を実施しないようにすることができる。よって、空間多重伝送を実施することで却って性能劣化が生じてしまうことを防止できる。
【００１６】
実施形態では、前記第１の統計量は、前記第１のプリコーダ行列情報毎の発生確率を示す。前記第３の統計量は、前記第２のプリコーダ行列情報毎の発生確率を示す。前記ステップＤにおいて、前記第２の基地局は、前記第１の統計量のうち発生確率が最も高い前記第１のプリコーダ行列情報と、前記第３の統計量のうち発生確率が最も高い前記第２のプリコーダ行列情報と、が一致しない場合には、前記空間多重伝送が不能であると判定する。
【００１７】
実施形態では、前記第２の統計量は、前記第１のユーザ端末における前記下りリンクの無線リソース毎の通信品質を示す。前記第４の統計量は、前記第２のユーザ端末における前記下りリンクの無線リソース毎の通信品質を示す。前記ステップＤにおいて、前記第２の基地局は、前記第２の統計量のうち通信品質が良好な無線リソースと、前記第４の統計量のうち通信品質が良好な無線リソースと、が一致しない場合には、前記空間多重伝送が不能であると判定する。
【００１８】
実施形態では、前記通信制御方法は、前記前記ステップＤで前記空間多重伝送が可能であると判定された場合において、前記第２の基地局が、前記空間多重伝送のための無線リソースを確保して、当該確保した無線リソースを前記第１の基地局に通知するステップＥと、前記第２の基地局が、前記確保した無線リソースを前記第２のユーザ端末に割り当てるとともに、前記第１の基地局が、前記第２の基地局から通知された前記無線リソースを前記第１のユーザ端末に割り当てるステップＦと、をさらに含む。
【００１９】
実施形態では、前記通信制御方法は、前記第１の統計量のうち最も高い発生確率が閾値未満である場合、又は前記第３の統計量のうち最も高い発生確率が閾値未満である場合に、前記空間多重伝送が不能であると判定するステップＧをさらに含む。
【００２０】
実施形態では、前記ステップＣにおいて、前記第２の基地局は、前記第２の基地局と接続する複数の第２のユーザ端末毎に前記第３の統計量及び前記第４の統計量を算出する。前記ステップＤにおいて、前記第２の基地局は、前記複数の第２のユーザ端末毎に前記第１のユーザ端末との前記空間多重伝送の可否を判定する。
【００２１】
実施形態に係る基地局は、第１のユーザ端末及び第２のユーザ端末に対して同一の無線リソース及び同一のプリコーダ行列を適用して空間多重伝送を行う移動通信システムにおいて、前記第１のユーザ端末と接続する。前記基地局は、前記第２のユーザ端末と接続する他の基地局に対して、前記第１のユーザ端末からフィードバックされる第１のプリコーダ行列情報毎の第１の統計量と、前記第１のユーザ端末における下りリンクの無線リソース毎の第２の統計量と、を通知する制御部を有する。
【００２２】
実施形態に係るプロセッサは、第１のユーザ端末及び第２のユーザ端末に対して同一の無線リソース及び同一のプリコーダ行列を適用して空間多重伝送を行う移動通信システムにおいて、前記第１のユーザ端末と接続する基地局に備えられる。前記プロセッサは、前記プロセッサは、前記第２のユーザ端末と接続する他の基地局に対して、前記第１のユーザ端末からフィードバックされる第１のプリコーダ行列情報毎の第１の統計量と、前記第１のユーザ端末における下りリンクの無線リソース毎の第２の統計量と、を通知する。
【００２３】
［実施形態］
以下、図面を参照して、３ＧＰＰ規格に準拠して構成される移動通信システム（ＬＴＥシステム）に本発明を適用する場合の一実施形態を説明する。
【００２４】
（ＬＴＥシステム）
図１は、本実施形態に係るＬＴＥシステムの構成図である。
【００２５】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。
【００２６】
ＵＥ１００は、移動型の無線通信装置であり、接続を確立したセル（サービングセル）との無線通信を行う。ＵＥ１００はユーザ端末に相当する。
【００２７】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを構成しており、自セルとの接続を確立したＵＥ１００との無線通信を行う。
【００２８】
なお、「セル」は、無線通信エリアの最小単位を示す用語として使用される他に、ＵＥ１００との無線通信を行う機能を示す用語としても使用される。
【００２９】
ｅＮＢ２００は、例えば、無線リソース管理（ＲＲＭ）機能と、ユーザデータのルーティング機能と、モビリティ制御及びスケジューリングのための測定制御機能と、を有する。
【００３０】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００３１】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３２】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３３】
ＯＡＭ４００は、オペレータによって管理されるサーバ装置であり、Ｅ−ＵＴＲＡＮ１０の保守及び監視を行う。
【００３４】
次に、ＵＥ１００及びｅＮＢ２００の構成を説明する。
【００３５】
図２は、ＵＥ１００のブロック図である。図２に示すように、ＵＥ１００は、複数のアンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３６】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３７】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３８】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３９】
ＧＮＳＳ受信機１３０は、ＵＥ１００の地理的な位置を示す位置情報を得るために、ＧＮＳＳ信号を受信して、受信した信号をプロセッサ１６０に出力する。
【００４０】
バッテリ１４０は、ＵＥ１００の各ブロックに供給すべき電力を蓄える。
【００４１】
メモリ１５０は、プロセッサ１６０によって実行されるプログラムと、プロセッサ１６０による処理に使用される情報と、を記憶する。
【００４２】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４３】
本実施形態では、プロセッサ１６０は、無線送受信機１１０が受信する信号（特に、参照信号）に基づいてチャネル状態情報（ＣＳＩ）を生成し、当該チャネル状態情報をサービングセル又は隣接セルにフィードバックする。チャネル状態情報は、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）などを含む。
【００４４】
なお、メモリ１５０は、ＰＭＩの候補のセット（コードブック）を保持しており、プロセッサ１６０は、コードブックの中から何れかのＰＭＩを選択してフィードバックする。
【００４５】
フィードバック対象となる周波数単位（対象周波数帯）としては、「下りリンク全帯域」又は「サブバンド」が規定されており、何れを用いるかはｅＮＢ２００からの指示に応じて定められる。サブバンドは、下りリンク全帯域を分割した周波数単位であり、複数リソースブロック分の帯域幅を有する。フィードバックされる情報（ＰＭＩ、ＲＩ、ＣＱＩなど）の詳細については後述する。
【００４６】
図３は、ｅＮＢ２００のブロック図である。図３に示すように、ｅＮＢ２００は、複数のアンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００４７】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信と、Ｓ１インターフェイス上で行う通信と、に用いられる。
【００４９】
メモリ２３０は、プロセッサ２４０によって実行されるプログラムと、プロセッサ２４０による処理に使用される情報と、を記憶する。
【００５０】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５１】
本実施形態では、プロセッサ２４０は、プリコーダ行列及びランクを適用して下りリンク・マルチアンテナ伝送を行う。図４は、下りリンク・マルチアンテナ伝送に関連するプロセッサ２４０のブロック図である。各ブロックの詳細は例えば３ＧＰＰ  ＴＳ  ３６．２１１に記載されているが、ここではその概要を説明する。
【００５２】
図４に示すように、物理チャネル上で送信すべき１つ又は２つのコードワードは、スクランブルされ、かつ変調シンボルに変調された後、レイヤマッパ２４１によって複数のレイヤにマッピングされる。コードワードは、誤り訂正のデータ単位である。ランク（レイヤ数）は、フィードバックされるＲＩに基づいて定められる。
【００５３】
プリコーダ２４２は、プリコーダ行列を用いて、各レイヤの変調シンボルをプリコーディングする。プリコーダ行列は、フィードバックされるＰＭＩに基づいて定められる。プリコーディングされた変調シンボルは、リソースエレメントにマッピングされ、かつ時間領域のＯＦＤＭ信号に変換されて、各アンテナポートに出力される。
【００５４】
図５は、ＬＴＥシステムにおける無線インターフェイスのプロトコルスタック図である。
【００５５】
図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５６】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５７】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するスケジューラを含む。
【００５８】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５９】
ＰＤＣＰレイヤは、ヘッダ圧縮・伸張、及び暗号化・復号化を行う。
【００６０】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  Ｃｏｎｎｅｃｔｅｄ  Ｓｔａｔｅ）であり、そうでない場合、ＵＥ１００はアイドル状態（ＲＲＣ  Ｉｄｌｅ  Ｓｔａｔｅ）である。
【００６１】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６２】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６３】
複信方式としては、ＦＤＤ（Ｆｒｅｑｕｅｎｃｙ  Ｄｉｖｉｓｉｏｎ  Ｄｕｐｌｅｘ）方式又はＴＤＤ（Ｔｉｍｅ  Ｄｉｖｉｓｉｏｎ  Ｄｕｐｌｅｘ）方式が使用されるが、本実施形態では主としてＦＤＤ方式を想定する。
【００６４】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６５】
ＵＥ１００に割り当てられる無線リソースのうち、周波数リソースはリソースブロックにより特定でき、時間リソースはサブフレーム（又はスロット）により特定できる。
【００６６】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）などの参照信号が分散して配置される。
【００６７】
ＰＤＣＣＨは、制御情報を搬送する。制御情報は、例えば、上りリンクＳＩ（Ｓｃｈｅｄｕｌｉｎｇ  Ｉｎｆｏｒｍａｔｉｏｎ）、下りリンクＳＩ、ＴＰＣビットである。上りリンクＳＩは上りリンクの無線リソースの割当てを示す情報であり、下りリンクＳＩは、下りリンクの無線リソースの割当てを示す情報である。ＴＰＣビットは、上りリンクの送信電力の増減を指示する情報である。
【００６８】
ＰＤＳＣＨは、制御情報及び／又はユーザデータを搬送する。例えば、下りリンクのデータ領域は、ユーザデータにのみ割当てられてもよく、ユーザデータ及び制御情報が多重されるように割当てられてもよい。
【００６９】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００７０】
ＰＵＣＣＨは、制御情報を搬送する。制御情報は、例えば、ＣＱＩ、ＰＭＩ、ＲＩ、ＳＲ（Ｓｃｈｅｄｕｌｉｎｇ  Ｒｅｑｕｅｓｔ）、ＡＣＫ／ＮＡＣＫなどである。
【００７１】
ＣＱＩは、下りリンクの受信状態に基づく、下りリンクで用いるのに好ましい変調及び符号化方式（すなわち、推奨ＭＣＳ）を示す情報（インデックス）である。
【００７２】
ＰＭＩは、下りリンクで用いるのに好ましいプリコーダ行列を示す情報（インデックス）である。言い換えると、ＰＭＩは、当該ＰＭＩの送信元のＵＥに対してビームが向くプリコーダ行列を示す。例えば、ＵＥ１００は、自身の受信状態が改善されるように、ｅＮＢ２００にフィードバックするＰＭＩを選択する。
【００７３】
ＲＩは、下りリンクで用いるのに好ましいランクを示す情報（インデックス）である。例えば、ＵＥ１００は、自身の受信状態に相応しいランクが適用されるように、ｅＮＢ２００にフィードバックするＰＭＩを選択する。
【００７４】
ＳＲは、上りリンクの無線リソースの割当てを要求する情報である。
【００７５】
ＡＣＫ／ＮＡＣＫは、下りリンクの物理チャネル（例えば、ＰＤＳＣＨ）を介して送信される信号のデコードに成功したか否かを示す情報である。
【００７６】
ＰＵＳＣＨは、制御情報及び／又はユーザデータを搬送する物理チャネルである。例えば、上りリンクのデータ領域は、ユーザデータにのみ割当てられてもよく、ユーザデータ及び制御情報が多重されるように割当てられてもよい。
【００７７】
（実施形態に係る動作）
以下、本実施形態に係る動作について説明する。
【００７８】
（１）全体動作
図７及び図８は、本実施形態に係る動作環境を示す図である。図７及び図８において、ｅＮＢ２００−１（第１の基地局）及びｅＮＢ２００−２（第２の基地局）は、互いに隣接するセルを構成する、すなわち隣接関係にある。
【００７９】
図７に示すように、ＵＥ１００−１（第１のユーザ端末）は、ｅＮＢ２００−１のセルとの接続を確立している。すなわち、ＵＥ１００−１は、ｅＮＢ２００−１のセルをサービングセルとして通信を行う。図７ではＵＥ１００−１を１つのみ図示しているが、複数のＵＥ１００−１がｅＮＢ２００−２のセルとの接続を確立していてもよい。
【００８０】
本実施形態では、ＵＥ１００−１は、ｅＮＢ２００−１及びｅＮＢ２００−２のそれぞれのセルの境界領域に位置している。このような場合には、通常、ＵＥ１００−１は、ｅＮＢ２００−２のセルからの干渉の影響を受ける。
【００８１】
ＵＥ１００−２（第２のユーザ端末）は、ｅＮＢ２００−２のセルとの接続を確立している。すなわち、ＵＥ１００−２は、ｅＮＢ２００−２のセルをサービングセルとして通信を行う。図７ではＵＥ１００−２を１つのみ図示しているが、複数のＵＥ１００−２がｅＮＢ２００−２のセルとの接続を確立していてもよい。
【００８２】
ｅＮＢ２００−１及びｅＮＢ２００−２は、セル端に位置するＵＥ１００−１のスループットを改善するために、ＣＢ（Ｃｏｏｒｄｉｎａｔｅｄ  Ｂｅａｍｆｏｒｍｉｎｇ）−ＣｏＭＰ（Ｃｏｏｒｄｉｎａｔｅｄ  Ｍｕｌｔｉ  Ｐｏｉｎｔ）を行う。ＣＢ−ＣｏＭＰにおいて、ＵＥ１００−１のサービングセルは「アンカーセル」と称される。
【００８３】
図８に示すように、ＣＢ−ＣｏＭＰにおいて、主な干渉源となるｅＮＢ２００−２は、ＵＥ１００−１に与える干渉の影響を小さくするように送信指向性を調整する。具体的には、ｅＮＢ２００−２は、ＵＥ１００−２に対してＵＥ１００−１と同一の無線リソースを割り当てて、ＵＥ１００−１にヌルを向けつつ、ＵＥ１００−２にビームを向けて、ＵＥ１００−２への送信を行う。これにより、ＵＥ１００−２をＵＥ１００−１と空間的に多重（分離）できる。
【００８４】
ＣＢ−ＣｏＭＰの対象となるＵＥ１００−１は、ｅＮＢ２００−１に対する通常のフィードバック（ＰＭＩ、ＲＩ、及びＣＱＩ）に加えて、特殊なフィードバックを行う。本実施形態では、ＵＥ１００−１は、ｅＮＢ２００−１に対して、特殊なＰＭＩをフィードバックする。
【００８５】
通常のＰＭＩは、ｅＮＢ２００−１からＵＥ１００−１への送信時にＵＥ１００−１にビームが向くプリコーダ行列を示す情報（インデックス）である。ＵＥ１００−１は、ｅＮＢ２００−１から受信する参照信号などに基づいて、ｅＮＢ２００−１からの受信レベルが向上するように、通常のＰＭＩのフィードバックを行う。
【００８６】
特殊なＰＭＩは、ｅＮＢ２００−２からＵＥ１００−１への送信時にＵＥ１００−１にヌルが向くプリコーダ行列を示す情報（インデックス）である。このようなＰＭＩは、ＢＣ（Ｂｅｓｔ  Ｃｏｍｐａｎｉｏｎ）−ＰＭＩと称される。ＵＥ１００−１は、ｅＮＢ２００−２から受信する参照信号などに基づいて、ｅＮＢ２００−２からの受信レベル（すなわち、干渉レベル）が低下するように、ＢＣ−ＰＭＩのフィードバックを行う。本実施形態において、ＵＥ１００−１がフィードバックするＢＣ−ＰＭＩは、第１のプリコーダ行列情報に相当する。
【００８７】
一方、ＵＥ１００−２は、ｅＮＢ２００−２に対する通常のフィードバック（ＰＭＩ、ＲＩ、及びＣＱＩ）を行う。本実施形態において、ＵＥ１００−２がフィードバックするＰＭＩは、第２のプリコーダ行列情報に相当する。
【００８８】
次に、上述した動作環境下での本実施形態に係る全体動作を説明する。図９は、本実施形態に係る動作シーケンス図である。図９では、ＣＢ−ＣｏＭＰが既に開始されているケースを主に想定する。
【００８９】
図９に示すように、ステップＳ１−１において、ＵＥ１００−１は、フィードバック情報をｅＮＢ２００−１に送信する。ＵＥ１００−１からのフィードバック情報は、ＣＱＩ、ＰＭＩ、及びＢＣ−ＰＭＩを含む。ステップＳ２−１において、ｅＮＢ２００−１は、ＵＥ１００−１からのフィードバック情報に基づいて、ＵＥ１００−１についての統計量を更新する。
【００９０】
ステップＳ１−２において、ＵＥ１００−２は、フィードバック情報をｅＮＢ２００−２に送信する。ＵＥ１００−２からのフィードバック情報は、ＣＱＩ及びＰＭＩを含む。ステップＳ２−２において、ｅＮＢ２００−２は、ＵＥ１００−２からのフィードバック情報に基づいて、ＵＥ１００−２についての統計量を更新する。
【００９１】
このように、ステップＳ１及びＳ２は、主に、ＵＥ１００−１及びＵＥ１００−２のそれぞれについて統計量を更新する処理Ｐ１である。処理Ｐ１の詳細については後述する。
【００９２】
ステップＳ３において、ｅＮＢ２００−１は、ＵＥ１００−１の無線リソース割当を更新すると判定する。
【００９３】
ステップＳ４において、ｅＮＢ２００−１は、ステップＳ２−１で算出した統計量を含むメッセージ（以下、「ＣｏＭＰ  ＵＥ情報メッセージ」と称する）を生成する。
【００９４】
ステップＳ５において、ｅＮＢ２００−１は、ステップＳ４で生成したＣｏＭＰ  ＵＥ情報メッセージをＸ２インターフェイス上でｅＮＢ２００−２に送信する。本実施形態ではＸ２インターフェイス上で送信するケースを説明するが、Ｓ１インターフェイス上で送信してもよい。
【００９５】
このように、ステップＳ３乃至Ｓ５は、主に、ＵＥ１００−１についての統計量をｅＮＢ２００−１からｅＮＢ２００−２に通知する処理Ｐ２である。処理Ｐ２の詳細については後述する。
【００９６】
ステップＳ６において、ｅＮＢ２００−２は、ステップＳ５で通知されたＵＥ１００−１についての統計量と、ステップＳ２−２で算出したＵＥ１００−２についての統計量と、を比較して、合致判定を行う。ここでは、合致すると判定されたと仮定して説明を進める。
【００９７】
ステップＳ７において、ｅＮＢ２００−２は、ＵＥ１００−２に割り当てる無線リソース（帯域）を確保し、確保した無線リソースの情報を含むメッセージ（以下、「割当予約メッセージ」と称する）を生成する。
【００９８】
ステップＳ８において、ｅＮＢ２００−２は、ステップＳ７で生成した割当予約メッセージをＸ２インターフェイス上でｅＮＢ２００−１に送信する。本実施形態ではＸ２インターフェイス上で送信するケースを説明するが、Ｓ１インターフェイス上で送信してもよい。
【００９９】
このように、ステップＳ６乃至Ｓ８は、主に、ＵＥ１００−１についての統計量とＵＥ１００−２についての統計量との合致判定を行い、合致する場合に無線リソースを確保及び共有する処理Ｐ３である。処理Ｐ３の詳細については後述する。
【０１００】
ステップＳ９において、ｅＮＢ２００−２は、ｅＮＢ２００−２からの割当予約メッセージに基づいて、ＵＥ１００−１に対するＣＢ−ＣｏＭＰが継続可能か否かを判定する。ここでは継続可能と判定されたと仮定して説明を進める。
【０１０１】
ステップＳ１０−１において、ｅＮＢ２００−１は、ｅＮＢ２００−２からの割当予約メッセージに基づいて、無線リソースをＵＥ１００−１に割り当てる。
【０１０２】
ステップＳ１０−２において、ｅＮＢ２００−２は、ステップＳ７で確保した無線リソースをＵＥ１００−２に割り当てる。
【０１０３】
このように、ステップＳ９及びＳ１０は、主に、ＵＥ１００−１及びＵＥ１００−２に無線リソースを割り当てる処理Ｐ４である。処理Ｐ４の詳細については後述する。
【０１０４】
（２）処理Ｐ１の詳細
次に、処理Ｐ１の詳細について説明する。図１０は、処理Ｐ１の詳細を示すフロー図である。
【０１０５】
図１０に示すように、ステップＳ１００において、ｅＮＢ２００−１は、ＵＥ１００−１からのフィードバック情報を受信したか否かを判定する。ステップＳ１００の判定結果が「ＹＥＳ」である場合、ステップＳ１０１において、ｅＮＢ２００−１は、ＢＣ−ＰＭＩ毎の統計量（第１の統計量）及び下り無線リソース毎の統計量（第２の統計量）を更新する。
【０１０６】
また、ステップＳ１００において、ｅＮＢ２００−２は、ＵＥ１００−２からのフィードバック情報を受信したか否かを判定する。ステップＳ１００の判定結果が「ＹＥＳ」である場合、ステップＳ１０１において、ｅＮＢ２００−２は、ＰＭＩ毎の統計量（第３の統計量）及び下り無線リソース毎の統計量（第４の統計量）を更新する。
【０１０７】
図１１は、本実施形態に係る統計量を説明するための図である。
【０１０８】
図１１（ａ）に示すように、ｅＮＢ２００−１は、ＢＣ−ＰＭＩ毎の統計量（第１の統計量）として、ＵＥ１００−１からフィードバックされるＢＣ−ＰＭＩ毎の発生確率（発生頻度）を算出する。ＢＣ−ＰＭＩの総数は例えばコードブック内の全ＰＭＩ数と等しい。ｅＮＢ２００−１は、一定期間Ｔにおいて、各ＢＣ−ＰＭＩについてＵＥ１００−１からフィードバックされる確率（割合）を算出する。これにより、ＵＥ１００−１についてＢＣ−ＰＭＩの分布を求めることができる。
【０１０９】
図１１（ｂ）に示すように、ｅＮＢ２００−１は、下り無線リソース毎の統計量（第２の統計量）として、ＵＥ１００−１からフィードバックされる、サブバンド毎のＣＱＩの平均値を算出する。ｅＮＢ２００−１は、一定期間Ｔにおいて、各サブバンドについてＵＥ１００−１からフィードバックされるＣＱＩの平均値を算出する。これにより、ＵＥ１００−１についてサブバンド毎の通信品質を求めることができる。
【０１１０】
図１１（ｃ）に示すように、ｅＮＢ２００−２は、ＰＭＩ毎の統計量（第３の統計量）として、ＵＥ１００−２からフィードバックされるＰＭＩ毎の発生確率（発生頻度）を算出する。ｅＮＢ２００−２は、一定期間Ｔにおいて、各ＰＭＩについてＵＥ１００−２からフィードバックされる確率（割合）を算出する。これにより、ＵＥ１００−２についてＰＭＩの分布を求めることができる。
【０１１１】
図１１（ｄ）に示すように、ｅＮＢ２００−２は、下り無線リソース毎の統計量（第４の統計量）として、ＵＥ１００−２からフィードバックされる、サブバンド毎のＣＱＩの平均値を算出する。ｅＮＢ２００−２は、一定期間Ｔにおいて、各サブバンドについてＵＥ１００−２からフィードバックされるＣＱＩの平均値を算出する。これにより、ＵＥ１００−２についてサブバンド毎の通信品質を求めることができる。
【０１１２】
なお、本実施形態では、ＣＱＩの平均値を使用しているが、下りリンク無線リソース毎の通信品質を示す値であれば代用可能である。例えば、ＣＱＩに対応するスループットの平均値を算出してもよく、下りリンク・リソースブロック毎の割当確率（割当頻度）を算出してもよい。
【０１１３】
また、ｅＮＢ２００−１及びｅＮＢ２００−２で一定期間Ｔの値が異なる場合には、ｅＮＢ２００−１で使用する一定期間ＴをｅＮＢ２００−１からｅＮＢ２００−２に通知してもよい。この場合、一定期間ＴをＣｏＭＰ  ＵＥ情報メッセージに含めてもよい。一定期間ＴをＯＡＭ４００が各ｅＮＢ２００に指定してもよい。
【０１１４】
（３）処理Ｐ２の詳細
次に、処理Ｐ２の詳細について説明する。図１２は、処理Ｐ２の詳細を示すフロー図である。ここでは、ＣＢ−ＣｏＭＰの対象となるＵＥ１００−１（ＣｏＭＰ  ＵＥ候補）が複数であるケースを想定する。
【０１１５】
図１２に示すように、ステップＳ２００において、ｅＮＢ２００−１は、各ＵＥ１００−１（ＣｏＭＰ  ＵＥ候補）についての処理を開始する。具体的には、ｅＮＢ２００−１は、ステップＳ２０１乃至Ｓ２０４の処理を各ＵＥ１００−１について行う。
【０１１６】
ステップＳ２０１において、ｅＮＢ２００−１は、対象のＵＥ１００−１についてのＢＣ−ＰＭＩ毎の統計量（発生確率）のうち最も高い発生確率Ｐｎを取得する。
【０１１７】
ステップＳ２０２において、ｅＮＢ２００−１は、最も高い発生確率Ｐｎが閾値Ｐｔｈ以上であるか否かを判定する。最も高い発生確率Ｐｎが閾値Ｐｔｈ以上である場合には、対象のＵＥ１００−１から特定のＢＣ−ＰＭＩが安定的にフィードバックされていることを意味する。これに対し、最も高い発生確率Ｐｎが閾値Ｐｔｈ未満である場合には、対象のＵＥ１００−１からフィードバックされるＢＣ−ＰＭＩのばらつきが大きいことを意味する。
【０１１８】
ステップＳ２０２の結果が「Ｙｅｓ」である場合、すなわち、対象のＵＥ１００−１がＣＢ−ＣｏＭＰに適している場合、ステップＳ２０４において、ｅＮＢ２００−１は、対象のＵＥ１００−１についての統計量をＣｏＭＰ  ＵＥ情報メッセージに登録する。
【０１１９】
ステップＳ２０２の結果が「Ｎｏ」である場合、すなわち、対象のＵＥ１００−１がＣＢ−ＣｏＭＰに適していない場合、ステップＳ２０３において、ｅＮＢ２００−１は、対象のＵＥ１００−１についてＣＢ−ＣｏＭＰの適用を中止し、通常のＵＥと同様に取り扱う。
【０１２０】
各ＵＥ１００−１（ＣｏＭＰ  ＵＥ候補）についての処理が完了した後、ステップＳ２０５において、ｅＮＢ２００−１は、ＣｏＭＰ  ＵＥ情報メッセージをＸ２インターフェイス上でｅＮＢ２００−２に送信する。
【０１２１】
図１３は、ＣｏＭＰ  ＵＥ情報メッセージの構成例１を示す図である。
【０１２２】
図１３に示すように、ＣｏＭＰ  ＵＥ情報メッセージの構成例１では、ＣｏＭＰ  ＵＥ情報メッセージは、選出されたＵＥ１００−１毎に、ＢＣ−ＰＭＩ毎の統計量（第１の統計量）と下り無線リソース毎の統計量（第２の統計量）とを含む。このように、構成例１では、第１の統計量の全て及び第２の統計量の全てをＣｏＭＰ  ＵＥ情報メッセージに含める。
【０１２３】
図１４は、ＣｏＭＰ  ＵＥ情報メッセージの構成例２を示す図である。
【０１２４】
図１４に示すように、ＣｏＭＰ  ＵＥ情報メッセージの構成例２では、ＣｏＭＰ  ＵＥ情報メッセージは、選出されたＵＥ１００−１毎に、ＢＣ−ＰＭＩ毎の統計量（第１の統計量）のうち最も高い統計量（すなわち、最も高い発生確率ＢＣＰＭＩｍａｘ）と、下り無線リソース毎の統計量（第２の統計量）と、を含む。このように、構成例２では、第１の統計量の一部及び第２の統計量の全てをＣｏＭＰ  ＵＥ情報メッセージに含める。
【０１２５】
なお、第２の統計量の全てをＣｏＭＰ  ＵＥ情報メッセージに含める場合に限らず、第２の統計量の一部（例えば通信品質の良好な値）のみをＣｏＭＰ  ＵＥ情報メッセージに含めてもよい。
【０１２６】
（４）処理Ｐ３の詳細
次に、処理Ｐ３の詳細について説明する。図１５は、処理Ｐ３の詳細を示すフロー図である。ここでは、ｅＮＢ２００−２と接続するＵＥ１００−２が複数であるケースを想定する。
【０１２７】
図１５に示すように、ステップＳ３００において、ｅＮＢ２００−２は、ｅＮＢ２００−１からのＣｏＭＰ  ＵＥ情報メッセージを受信する。
【０１２８】
ステップＳ３０１において、ｅＮＢ２００−２は、ｅＮＢ２００−２と接続する複数のＵＥ１００−２から選出を行うための空集合Ａを用意する。
【０１２９】
ステップＳ３０２において、ｅＮＢ２００−２は、各ＵＥ１００−２についての処理を開始する。具体的には、ｅＮＢ２００−２は、ステップＳ３０３乃至Ｓ３０５の処理を各ＵＥ１００−２について行う。
【０１３０】
ステップＳ３０３において、ｅＮＢ２００−２は、対象のＵＥ１００−２についてのＰＭＩ毎の統計量（発生確率）のうち最も高い発生確率Ｐｍを取得する。
【０１３１】
ステップＳ３０４において、ｅＮＢ２００−２は、最も高い発生確率Ｐｍが閾値Ｐｔｈ以上であるか否かを判定する。最も高い発生確率Ｐｍが閾値Ｐｔｈ以上である場合には、対象のＵＥ１００−２から特定のＰＭＩが安定的にフィードバックされていることを意味する。これに対し、最も高い発生確率Ｐｍが閾値Ｐｔｈ未満である場合には、対象のＵＥ１００−２からフィードバックされるＰＭＩのばらつきが大きいことを意味する。
【０１３２】
ステップＳ３０４の結果が「Ｙｅｓ」である場合、すなわち、対象のＵＥ１００−２がＣＢ−ＣｏＭＰに適している場合、ステップＳ３０５において、ｅＮＢ２００−２は、対象のＵＥ１００−２を集合Ａに登録する。
【０１３３】
ステップＳ３０４の結果が「Ｎｏ」である場合、すなわち、対象のＵＥ１００−２がＣＢ−ＣｏＭＰに適していない場合、対象のＵＥ１００−２を集合Ａに登録しない。
【０１３４】
各ＵＥ１００−２についての処理が完了した後、ステップＳ３１０において、ｅＮＢ２００−２は、ＣｏＭＰ  ＵＥ情報メッセージにより示される各ＵＥ１００−１（ＣｏＭＰ  ＵＥ候補）についての処理を開始する。具体的には、ｅＮＢ２００−２は、ステップＳ３１１乃至Ｓ３２２の処理を、ＣｏＭＰ  ＵＥ情報メッセージにより示される各ＵＥ１００−１（ＣｏＭＰ  ＵＥ候補）について行う。
【０１３５】
ステップＳ３１１において、ｅＮＢ２００−２は、集合Ａにより示される各ＵＥ１００−２についての処理を開始する。具体的には、ｅＮＢ２００−２は、ステップＳ３１２乃至Ｓ３１６の処理を、集合Ａにより示される各ＵＥ１００−２について行う。
【０１３６】
ステップＳ３１２において、ｅＮＢ２００−２は、対象のＵＥ１００−１に対応する第１の統計量のうち最も発生確率の高いＢＣ−ＰＭＩと、対象のＵＥ１００−２に対応する第３の統計量のうち最も発生確率の高いＰＭＩと、が等しいか否かを判定する。ここで「等しい」とは、ＢＣ−ＰＭＩに対応するプリコーダ行列とＰＭＩに対応するプリコーダ行列とが一致することを意味する。
【０１３７】
ステップＳ３１３において、ｅＮＢ２００−２は、対象のＵＥ１００−１に対応する第２の統計量のうち通信品質が良好な無線リソースと、対象のＵＥ１００−２に対応する第４の統計量のうち通信品質が良好な無線リソースと、が一致するか否かを判定する。「通信品質が良好な無線リソース」とは、通信品質が相対的に良好な無線リソース、或いは通信品質が閾値よりも良好な無線リソースを意味する。
【０１３８】
ステップＳ３１４において、ｅＮＢ２００−２は、ステップＳ３１２及びステップＳ３１３の何れにおいても一致が確認された否かを判定する。
【０１３９】
ステップＳ３１４の判定結果が「Ｙｅｓ」である場合、ステップＳ３１５において、ｅＮＢ２００−２は、対象のＵＥ１００−２を対象のＵＥ１００−１のペアとして登録する。つまり、ｅＮＢ２００−２は、対象のＵＥ１００−２は対象のＵＥ１００−１との空間多重が可能であると判定する。そして、ステップＳ３１６において、ｅＮＢ２００−２は、対象のＵＥ１００−２を集合Ａから除く。
【０１４０】
これに対し、ステップＳ３１４の判定結果が「Ｎｏ」である場合、対象のＵＥ１００−２は対象のＵＥ１００−１のペアとして登録されない。つまり、ｅＮＢ２００−２は、対象のＵＥ１００−２は対象のＵＥ１００−１との空間多重が不能であると判定する。
【０１４１】
集合Ａにより示される各ＵＥ１００−２についての処理が完了した後、ステップＳ３２０において、ｅＮＢ２００−２は、対象のＵＥ１００−１とのペアをとして登録されたＵＥ１００−２が存在するか否かを判定する。
【０１４２】
ステップＳ３２０の判定結果が「Ｙｅｓ」である場合、ステップＳ３２１において、ｅＮＢ２００−２は、通信品質の良好な無線リソースをＣＢ−ＣｏＭＰのために確保（予約）する。具体的には、ｅＮＢ２００−２は、ステップＳ３１３で一致した無線リソースの中から、ＣＢ−ＣｏＭＰとなる対象ＵＥ１００−１のペアとなるＵＥ１００−２のために無線リソースを確保する。そして、ステップＳ３２２は、確保した無線リソースを対象のＵＥ１００−１と対応付けて割当予約メッセージに登録する。
【０１４３】
これに対し、ステップＳ３２０の判定結果が「Ｎｏ」である場合、対象のＵＥ１００−１について、ＣＢ−ＣｏＭＰのための無線リソースは確保されない。
【０１４４】
ＣｏＭＰ  ＵＥ情報メッセージにより示される各ＵＥ１００−１（ＣｏＭＰ  ＵＥ候補）についての処理が完了した後、ステップＳ３３０において、ｅＮＢ２００−２は、割当予約メッセージをＸ２インターフェイス上でｅＮＢ２００−２に送信する。
【０１４５】
図１６は、割当予約メッセージの構成例１を示す図である。
【０１４６】
図１６に示すように、割当予約メッセージの構成例１では、割当予約メッセージは、ＣＢ−ＣｏＭＰが適用されるＵＥ１００−１毎に、確保された周波数リソースを示す情報（例えばリソースブロック番号）と、確保された時間リソースを示す情報（例えば無線フレーム番号及びサブフレーム番号）と、を含む。
【０１４７】
図１７は、割当予約メッセージの構成例２を示す図である。
【０１４８】
図１７に示すように、割当予約メッセージの構成例２では、確保された時間リソースを示す情報が構成例１とは異なる。具体的には、確保された時間リソースを示す情報は、割当開始タイミングを示す情報（例えば無線フレーム番号及びサブフレーム番号）と、割当周期を示す情報（例えば無線フレーム番号及びサブフレーム番号）と、を含む。この場合、割当開始タイミングをT1（SFN1、subframe1）として、割当タイミングは、Tcurrent mod T2（=SFN2×10＋subframe2） ＝ T1（＝SFN1×10＋subframe1）により定められる。
【０１４９】
（５）処理Ｐ４の詳細
次に、処理Ｐ４の詳細について説明する。図１８は、処理Ｐ４の詳細を示すフロー図である。
【０１５０】
図１８に示すように、ステップＳ４００において、ｅＮＢ２００−１は、ｅＮＢ２００−２からの割当予約メッセージを受信する。
【０１５１】
ステップＳ４１０において、ｅＮＢ２００−１は、各ＵＥ１００−１（ＣｏＭＰ  ＵＥ候補）についての処理を開始する。具体的には、ｅＮＢ２００−１は、ステップＳ４１１乃至Ｓ４１４の処理を、各ＵＥ１００−１について行う。
【０１５２】
ステップＳ４１１において、ｅＮＢ２００−１は、割当予約メッセージの中から、対象のＵＥ１００−１の割当情報を探索する。
【０１５３】
ステップＳ４１２において、ｅＮＢ２００−１は、割当予約メッセージの中に対象のＵＥ１００−１の割当情報が存在するか否かを判定する。
【０１５４】
ステップＳ４１２の判定結果が「Ｙｅｓ」である場合、ステップＳ４１４において、ｅＮＢ２００−１は、対象のＵＥ１００−１に対応する確保された無線リソースの割当予約を登録する。
【０１５５】
これに対し、ステップＳ４１２の判定結果が「Ｎｏ」である場合、ステップＳ４１３において、ｅＮＢ２００−１は、対象のＵＥ１００−１はＣＢ−ＣｏＭＰの対象から除外されたとみなして、対象のＵＥ１００−１を通常のＵＥとして取り扱う。
【０１５６】
（まとめ）
上述したように、本実施形態では、ｅＮＢ２００−１と、ｅＮＢ２００−１と接続するＵＥ１００−１と、ｅＮＢ２００−１に隣接するｅＮＢ２００−２と、ｅＮＢ２００−２と接続するＵＥ１００−２と、を有するＬＴＥシステムは、ＵＥ１００−１及びＵＥ１００−２に対して同一の無線リソース及び同一のプリコーダ行列を適用してＣＢ−ＣｏＭＰを行う。
【０１５７】
本実施形態では、ｅＮＢ２００−１は、ＵＥ１００−１からフィードバックされるＢＣ−ＰＭＩ毎の第１の統計量と、ＵＥ１００−１における下りリンクの無線リソース毎の第２の統計量と、を算出し、第１の統計量及び第２の統計量をｅＮＢ２００−２に通知する。ｅＮＢ２００−２は、ＵＥ１００−２からフィードバックされるＰＭＩ毎の第３の統計量と、ＵＥ１００−２における下りリンクの無線リソース毎の第４の統計量と、を算出する。そして、ｅＮＢ２００−２は、第１の統計量と第３の統計量とを比較し、且つ、第２の統計量と第４の統計量とを比較することにより、ＣＢ−ＣｏＭＰの可否を判定する。
【０１５８】
これにより、ＢＣ−ＰＭＩ／ＰＭＩのフィードバック状況及び下りリンク無線リソースの状況の観点から、ＵＥ１００−１及びＵＥ１００−２が整合性の高いペア（相性の良いペア）であることを確認した上で、ＣＢ−ＣｏＭＰを実施することができる。よって、より確実にＣＢ−ＣｏＭＰによる性能改善の効果を得ることができる。
【０１５９】
これに対し、ＢＣ−ＰＭＩ／ＰＭＩのフィードバック状況及び下りリンク無線リソースの状況の観点から、ＵＥ１００−１及びＵＥ１００−２が整合性の低いペア（相性の悪いペア）である場合には、ＣＢ−ＣｏＭＰを実施しないようにすることができる。よって、ＣＢ−ＣｏＭＰを実施することで却って性能劣化が生じてしまうことを防止できる。
【０１６０】
本実施形態では、第１の統計量は、ＢＣ−ＰＭＩ毎の発生確率を示す。第３の統計量は、ＰＭＩ毎の発生確率を示す。ｅＮＢ２００−２は、第１の統計量のうち発生確率が最も高いＢＣ−ＰＭＩと、第３の統計量のうち発生確率が最も高いＰＭＩと、が一致しない場合には、ＣＢ−ＣｏＭＰが不能であると判定する。これにより、ＢＣ−ＰＭＩ／ＰＭＩのフィードバック状況の観点からＵＥ１００−１及びＵＥ１００−２の整合性が低い場合にはＣＢ−ＣｏＭＰを行わないようにすることができる。
【０１６１】
本実施形態では、第２の統計量は、ＵＥ１００−１における下りリンクの無線リソース毎の通信品質を示す。第４の統計量は、ＵＥ１００−２における下りリンクの無線リソース毎の通信品質を示す。ｅＮＢ２００−２は、第２の統計量のうち通信品質が良好な無線リソースと、第４の統計量のうち通信品質が良好な無線リソースと、が一致しない場合には、ＣＢ−ＣｏＭＰが不能であると判定する。これにより、下りリンク無線リソースの状況の観点からＵＥ１００−１及びＵＥ１００−２の整合性が低い場合にはＣＢ−ＣｏＭＰを行わないようにすることができる。
【０１６２】
本実施形態では、ＣＢ−ＣｏＭＰが可能であると判定された場合において、ｅＮＢ２００−２は、ＣＢ−ＣｏＭＰのための無線リソースを確保して、当該確保した無線リソースをｅＮＢ２００−１に通知する。そして、ｅＮＢ２００−２が、確保した無線リソースをＵＥ１００−２に割り当てるとともに、ｅＮＢ２００−１が、ｅＮＢ２００−２から通知された無線リソースをＵＥ１００−１に割り当てる。これにより、同一の無線リソースを用いてＣＢ−ＣｏＭＰを適切に実施できる。
【０１６３】
本実施形態では、第１の統計量のうち最も高い発生確率が閾値未満である場合、又は第３の統計量のうち最も高い発生確率が閾値未満である場合に、ＣＢ−ＣｏＭＰが不能であると判定する。これにより、ＣＢ−ＣｏＭＰに適さないＵＥ１００をＣＢ−ＣｏＭＰの対象から除外できる。
【０１６４】
本実施形態では、ｅＮＢ２００−２は、ｅＮＢ２００−２と接続する複数のＵＥ１００−２毎に第３の統計量及び第４の統計量を算出し、当該複数のＵＥ１００−２毎にＵＥ１００−１とのＣＢ−ＣｏＭＰの可否を判定する。これにより、ＵＥ１００−１との整合性の高いＵＥ１００−２を探索できる。
【０１６５】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１６６】
上述した実施形態では、ＵＥ１００−１からフィードバックされるＢＣ−ＰＭＩと、ＵＥ１００−２からフィードバックされるＰＭＩと、が一致する確率が高ければ、ＣＢ−ＣｏＭＰを適用可能と判断していた。しかしながら、上述したＢＣ−ＰＭＩに代えて、ＷＣ（Ｗｏｒｓｔ  Ｃｏｍｐａｎｉｏｎ）−ＰＭＩを使用する場合には、判断手法が変更される。ここでＷＣ−ＰＭＩとは、ｅＮＢ２００−２からＵＥ１００−１への送信時にＵＥ１００−１にビームが向くプリコーダ行列を示す情報（インデックス）である。ＷＣ−ＰＭＩを使用する場合には、ＵＥ１００−１からフィードバックされるＷＣ−ＰＭＩと、ＵＥ１００−２からフィードバックされるＰＭＩと、が一致しない確率が高ければ、ＣＢ−ＣｏＭＰを適用可能と判断できる。
【０１６７】
また、上述した実施形態では、ＣＢ−ＣｏＭＰを継続するか否かの判定を行うケースを説明したが、ＣＢ−ＣｏＭＰを開始するか否かの判定に本発明を適用してもよい。
【０１６８】
米国仮出願第６１／７２３０２０号（２０１２年１１月６日出願）の全内容が、参照により、本願明細書に組み込まれている。
【産業上の利用可能性】
【０１６９】
本発明は、移動通信分野において有用である。
【図１】
2014073487.tif 000003
【図２】
2014073487.tif 000004
【図３】
2014073487.tif 000005
【図４】
2014073487.tif 000006
【図５】
2014073487.tif 000007
【図６】
2014073487.tif 000008
【図７】
2014073487.tif 000009
【図８】
2014073487.tif 000010
【図９】
2014073487.tif 000011
【図１０】
2014073487.tif 000012
【図１１】
2014073487.tif 000013
【図１２】
2014073487.tif 000014
【図１３】
2014073487.tif 000015
【図１４】
2014073487.tif 000016
【図１５】
2014073487.tif 000017
【図１６】
2014073487.tif 000018
【図１７】
2014073487.tif 000019
【図１８】
2014073487.tif 000020
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
第１の基地局が、第１のユーザ端末からフィードバックされる第１のプリコーダ行列情報毎の第１の統計量と、前記第１のユーザ端末における下りリンクの無線リソース毎の第２の統計量とを算出し、
前記第１の基地局が、前記第１の統計量及び前記第２の統計量を第２の基地局に通知し、
前記第２の基地局が、第２のユーザ端末からフィードバックされる第２のプリコーダ行列情報毎の第３の統計量と、前記第２のユーザ端末における下りリンクの無線リソース毎の第４の統計量とを算出し、
前記第２の基地局が、前記第１の統計量と前記第３の統計量とを比較し、且つ、前記第２の統計量と前記第４の統計量とを比較することにより、前記第１のユーザ端末及び前記第２のユーザ端末に対して同一の無線リソース及び同一のプリコーダ行列を適用した空間多重伝送の可否を判定する
通信制御方法。
【請求項２】
前記第１の統計量は、前記第１のプリコーダ行列情報毎の発生確率を示し、
前記第３の統計量は、前記第２のプリコーダ行列情報毎の発生確率を示し、
前記第２の基地局は、前記第１の統計量のうち発生確率が最も高い前記第１のプリコーダ行列情報と、前記第３の統計量のうち発生確率が最も高い前記第２のプリコーダ行列情報とが一致しない場合には、前記空間多重伝送が不能であると判定する
請求項１に記載の通信制御方法。
【請求項３】
前記第２の統計量は、前記第１のユーザ端末における前記下りリンクの無線リソース毎の通信品質を示し、
前記第４の統計量は、前記第２のユーザ端末における前記下りリンクの無線リソース毎の通信品質を示し、
前記第２の基地局は、前記第２の統計量のうち通信品質が良好な無線リソースと、前記第４の統計量のうち通信品質が良好な無線リソースと、が一致しない場合には、前記空間多重伝送が不能であると判定する
請求項１に記載の通信制御方法。
【請求項４】
前記第２の基地局は、前記空間多重伝送が可能であると判定した場合に、
前記空間多重伝送のための無線リソースを確保して、当該確保した無線リソースを前記第１の基地局に通知し、
前記確保した無線リソースを前記第２のユーザ端末に割り当て、
前記第１の基地局は、前記第２の基地局から通知された前記無線リソースを前記第１のユーザ端末に割り当てる
請求項１に記載の通信制御方法。
【請求項５】
前記第２の基地局は、前記第１の統計量のうち最も高い発生確率が閾値未満である場合又は前記第３の統計量のうち最も高い発生確率が閾値未満である場合に、前記空間多重伝送が不能であると判定する
請求項２に記載の通信制御方法。
【請求項６】
前記第２の基地局は、
前記第２の基地局と接続する複数の第２のユーザ端末毎に前記第３の統計量及び前記第４の統計量を算出し、
前記複数の第２のユーザ端末毎に前記第１のユーザ端末との前記空間多重伝送の可否を判定する
請求項１に記載の通信制御方法。
【請求項７】
第２のユーザ端末と接続する他の基地局に対して、第１のユーザ端末からフィードバックされる第１のプリコーダ行列情報毎の第１の統計量と、前記第１のユーザ端末における下りリンクの無線リソース毎の第２の統計量と、を通知する制御部を有する
基地局。
【請求項８】
基地局を制御するためのプロセッサであって、
第２のユーザ端末と接続する他の基地局に対して、第１のユーザ端末からフィードバックされる第１のプリコーダ行列情報毎の第１の統計量と、前記第１のユーザ端末における下りリンクの無線リソース毎の第２の統計量と、を通知する
プロセッサ。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
一つの実施形態に係る通信制御方法は、第１の基地局が、第１のユーザ端末からフィードバックされる第１のプリコーダ行列情報毎の第１の統計量と、前記第１のユーザ端末における下りリンクの無線リソース毎の第２の統計量とを算出し、前記第１の基地局が、前記第１の統計量及び前記第２の統計量を第２の基地局に通知し、前記第２の基地局が、第２のユーザ端末からフィードバックされる第２のプリコーダ行列情報毎の第３の統計量と、前記第２のユーザ端末における下りリンクの無線リソース毎の第４の統計量とを算出し、前記第２の基地局が、前記第１の統計量と前記第３の統計量とを比較し、且つ、前記第２の統計量と前記第４の統計量とを比較することにより、前記第１のユーザ端末及び前記第２のユーザ端末に対して同一の無線リソース及び同一のプリコーダ行列を適用した空間多重伝送の可否を判定する。
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
第１の基地局が、第１のユーザ端末からフィードバックされる第１のプリコーダ行列情報毎の第１の統計量と、前記第１のユーザ端末における下りリンクの無線リソース毎の第２の統計量とを算出し、
前記第１の基地局が、前記第１の統計量及び前記第２の統計量を第２の基地局に通知し、
前記第２の基地局が、第２のユーザ端末からフィードバックされる第２のプリコーダ行列情報毎の第３の統計量と、前記第２のユーザ端末における下りリンクの無線リソース毎の第４の統計量とを算出し、
前記第２の基地局が、前記第１の統計量と前記第３の統計量とを比較し、且つ、前記第２の統計量と前記第４の統計量とを比較することにより、前記第１のユーザ端末及び前記第２のユーザ端末に対して同一の無線リソース及び同一のプリコーダ行列を適用した空間多重伝送の可否を判定する
通信制御方法。
【請求項２】
前記第１の統計量は、前記第１のプリコーダ行列情報毎の発生確率を示し、
前記第３の統計量は、前記第２のプリコーダ行列情報毎の発生確率を示し、
前記第２の基地局は、前記第１の統計量のうち発生確率が最も高い前記第１のプリコーダ行列情報と、前記第３の統計量のうち発生確率が最も高い前記第２のプリコーダ行列情報とが一致しない場合には、前記空間多重伝送が不能であると判定する
請求項１に記載の通信制御方法。
【請求項３】
前記第２の統計量は、前記第１のユーザ端末における前記下りリンクの無線リソース毎の通信品質を示し、
前記第４の統計量は、前記第２のユーザ端末における前記下りリンクの無線リソース毎の通信品質を示し、
前記第２の基地局は、前記第２の統計量のうち通信品質が良好な無線リソースと、前記第４の統計量のうち通信品質が良好な無線リソースと、が一致しない場合には、前記空間多重伝送が不能であると判定する
請求項１に記載の通信制御方法。
【請求項４】
前記第２の基地局は、前記空間多重伝送が可能であると判定した場合に、
前記空間多重伝送のための無線リソースを確保して、当該確保した無線リソースを前記第１の基地局に通知し、
前記確保した無線リソースを前記第２のユーザ端末に割り当て、
前記第１の基地局は、前記第２の基地局から通知された前記無線リソースを前記第１のユーザ端末に割り当てる
請求項１に記載の通信制御方法。
【請求項５】
前記第２の基地局は、前記第１の統計量のうち最も高い発生確率が閾値未満である場合又は前記第３の統計量のうち最も高い発生確率が閾値未満である場合に、前記空間多重伝送が不能であると判定する
請求項２に記載の通信制御方法。
【請求項６】
前記第２の基地局は、
前記第２の基地局と接続する複数の第２のユーザ端末毎に前記第３の統計量及び前記第４の統計量を算出し、
前記複数の第２のユーザ端末毎に前記第１のユーザ端末との前記空間多重伝送の可否を判定する
請求項１に記載の通信制御方法。
【請求項７】
第２のユーザ端末と接続する他の基地局に対して、第１のユーザ端末からフィードバックされる第１のプリコーダ行列情報毎の第１の統計量と、前記第１のユーザ端末における下りリンクの無線リソース毎の第２の統計量と、を通知する処理を実行する制御部を有する基地局。
【請求項８】
前記制御部は、前記第１のユーザ端末及び前記第２のユーザ端末に対して同一の無線リソース及び同一のプリコーダ行列を適用した空間多重伝送の可否を判定してもらうために、前記他の基地局に対して、前記第１の統計量と前記第２の統計量とを通知する処理を実行する請求項７に記載の基地局。
【請求項９】
基地局を制御するためのプロセッサであって、
第２のユーザ端末と接続する他の基地局に対して、第１のユーザ端末からフィードバックされる第１のプリコーダ行列情報毎の第１の統計量と、前記第１のユーザ端末における下りリンクの無線リソース毎の第２の統計量と、を通知する処理を実行する
プロセッサ。
【請求項１０】
前記第１のユーザ端末及び前記第２のユーザ端末に対して同一の無線リソース及び同一のプリコーダ行列を適用した空間多重伝送の可否を判定してもらうために、前記他の基地局に対して、前記第１の統計量と前記第２の統計量とを通知する処理を実行する請求項９に記載のプロセッサ。
【請求項１１】
他の基地局に対して、ユーザ端末からフィードバックされたサブバンド毎のＣＱＩを示す情報を通知する処理を実行する制御部を有し、
前記サブバンドは、下りリンク全帯域を分割した周波数単位であり、複数リソースブロック分の帯域幅を有する基地局。
【請求項１２】
他の基地局から、ユーザ端末からフィードバックされたサブバンド毎のＣＱＩを示す情報を受信する処理を実行する制御部を有し、
前記サブバンドは、下りリンク全帯域を分割した周波数単位であり、複数リソースブロック分の帯域幅を有する基地局。
【請求項１３】
基地局を制御するためのプロセッサであって、
他の基地局に対して、ユーザ端末からフィードバックされたサブバンド毎のＣＱＩを示す情報を通知する処理を実行し、
前記サブバンドは、下りリンク全帯域を分割した周波数単位であり、複数リソースブロック分の帯域幅を有するプロセッサ。
【請求項１４】
基地局を制御するためのプロセッサであって、
他の基地局から、ユーザ端末からフィードバックされたサブバンド毎のＣＱＩを示す情報を受信する処理を実行し、
前記サブバンドは、下りリンク全帯域を分割した周波数単位であり、複数リソースブロック分の帯域幅を有するプロセッサ。
【手続補正２】
【補正対象書類名】明細書
【補正対象項目名】００１０
【補正方法】変更
【補正の内容】
【００１０】
前記通信制御方法は、前記第１の基地局が、前記第１のユーザ端末からフィードバックされる第１のプリコーダ行列情報毎の第１の統計量と、前記第１のユーザ端末における下りリンクの無線リソース毎の第２の統計量と、を算出するステップＡと、前記第１の基地局が、前記第１の統計量及び前記第２の統計量を前記第２の基地局に通知するステップＢと、前記第２の基地局が、前記第２のユーザ端末からフィードバックされる第２のプリコーダ行列情報毎の第３の統計量と、前記第２のユーザ端末における下りリンクの無線リソース毎の第４の統計量と、を算出するステップＣと、前記第２の基地局が、前記第１の統計量と前記第３の統計量とを比較し、且つ、前記第２の統計量と前記第４の統計量とを比較することにより、前記空間多重伝送の可否を判定するステップＤと、を含む。
一実施形態に係る基地局は、他の基地局に対して、ユーザ端末からフィードバックされたサブバンド毎のＣＱＩを示す情報を通知する処理を実行する制御部を有する。前記サブバンドは、下りリンク全帯域を分割した周波数単位であり、複数リソースブロック分の帯域幅を有する。
【国際調査報告】
2014073487.tif 000021
2014073487.tif 000022